(57)【特許請求の範囲】
【請求項１】
ウエスト部、前身頃、後身頃および股部を有する外側部材と、
前記外側部材の内側に配置される内側部材と
を備え、
前記外側部材において、鼠蹊部を締め付けないように足ぐりが形成されており、
前記内側部材は、
臀部に密着可能な後側密着部と、
下腹部の幅方向両端部に密着可能な一対の前側密着部と、
股間に密着可能な下側密着部と
を備え、
前記後側密着部および一対の前側密着部は、前記ウエスト部に固定され、
前記下側密着部は、前記前身頃に固定されていることを特徴とするショーツ。
【請求項２】
前記内側部材の前後方向長さは、前記内側部材が固定されている箇所に対応する前記外側部材の前後方向長さよりも短いことを特徴とする請求項１に記載のショーツ。
【請求項３】
前記下側密着部の幅は、前記股部の幅よりも狭く、
前記後側密着部の丈は、前記後身頃の丈よりも短いことを特徴とする請求項１または２に記載のショーツ。
【請求項４】
前記下側密着部の内面に、防水布が配置されていることを特徴とする請求項１〜３のいずれか一項に記載のショーツ。
【発明の詳細な説明】
【技術分野】
【０００１】
本発明は、ショーツに関するものである。
【背景技術】
【０００２】
従来より、生理用ナプキンなどの吸収性物品をショーツに固定できる生理用ショーツが知られている。例えば、特許文献１には、ショーツ本体の内部に吸収性物品保持用の保持体を有し、クロッチ部の中間部において当該保持体がショーツ本体に固定されずに自由状態となるショーツが開示されている。このようなショーツでは、保持体が十分に伸長できるため、体へのフィット性が良くなり、液漏れを抑制することができる。
【先行技術文献】
【特許文献】
【０００３】
【特許文献１】特開２００３−１８３９０２号公報
【発明の概要】
【発明が解決しようとする課題】
【０００４】
ところで、近年、鼠蹊部の締め付けを緩和することにより、開放感などのはき心地の良いショーツが提案されている。この締め付けないショーツは、足ぐり（足回り開口）が、通常のショーツより広くなっており、全体的にゆったりとした設計になっている。そして、このようなショーツにおいても、生理用ショーツなどのニーズがある。
【０００５】
しかしながら、このようなショーツに、特許文献１に記載の吸収性物品保持帯を付けると、装着時において、吸収性物品保持帯が幅方向（左右）にずれたり、臀裂に入りこんでしまい、その結果、経血などの排泄液が漏れるという不具合が生じる。
【０００６】
本発明は、はき心地が良く、排泄液の漏れを抑制することができるショーツを提供する。
【課題を解決するための手段】
【０００７】
本発明［１］は、ウエスト部、前身頃、後身頃および股部を有する外側部材と、前記外側部材の内側に配置される内側部材とを備え、前記外側部材において、鼠蹊部を締め付けないように足ぐりが形成されており、前記内側部材は、臀部に密着可能な後側密着部と、下腹部の幅方向両端部に密着可能な一対の前側密着部と、股間に密着可能な下側密着部とを備え、前記後側密着部および一対の前側密着部は、前記ウエスト部に固定され、前記下側密着部は、前記前身頃に固定されているショーツを含む。
【０００８】
このような発明によれば、外側部材では鼠蹊部を締め付けないように足ぐりが形成されているため、鼠蹊部の圧迫を抑制して、開放感などのはき心地を良くすることができる。
【０００９】
また、内側部材において、後側密着部および一対の前側密着部がウエスト部に固定されているため、内側部材は、広い面積で腰回りに接触でき、かつ、ウエスト部で充分に固定されている。よって、装着時における後側密着部の横ずれや臀裂への入り込みを抑制することができる。また、下側密着部は、前身頃と固定しているため、装着後の運動時にショーツに加わる力を、広面積の伸縮性の前身頃で分散や緩衝させることができ、下側密着部の動きやずれを抑制することができる。これらによって、装着時において、生理、おりもの、尿などの排泄液の漏れを抑制することができる。
【００１０】
本発明［２］は、前記内側部材の前後方向長さは、前記内側部材が固定されている箇所に対応する前記外側部材の前後方向長さよりも短い［１］に記載のショーツを含む。
【００１１】
このような発明によれば、内側部材の長さが、その固定部間に対応する外側部材の距離よりも短いので、内側部材が外側部材と離間する。そのため、装着時に、内側部材が外側に向かって伸長できるため、密着性が良好になる。また、外側部材までの距離があるため、装着時における外側部材の圧迫を抑制し、外側部材における大幅な外形変化を抑制することができる。
【００１２】
本発明［３］は、前記下側密着部の幅は、前記股部の幅よりも狭く、前記後側密着部の丈は、前記後身頃の丈よりも短い［１］または［２］に記載のショーツを含む。
【００１３】
このような発明によれば、下側密着部の幅が前記股部の幅よりも狭いため、ウイング付きの吸収性物品を下側密着部に装着した際に、ウイングが股部によって隠れる。また、さらに後側密着部の丈が後身頃の丈よりも短いため、装着時において、内側部材が後身頃および股部によって隠れる。すなわち、排泄液漏れに関係する部材（吸収性物品や内側部材）を隠すことができる。さらに、ショーツの外形デザイン性の自由度を担保することができる。
【００１４】
本発明［４］は、前記下側密着部の内側に、防水布が配置されている［１］〜［３］のいずれか一項に記載のショーツを含む。
【００１５】
このような発明によれば、防水布が配置されているため、排泄液が吸収性物品から漏れ出た場合において防水布で受け止めることができる。よって、下側密着部や股部などへの染み込みを抑制し、外側部材やアウター（ズボンなど）の汚れを軽減させることができる。
【発明の効果】
【００１６】
本発明のショーツは、はき心地がよく、かつ、排泄液の漏れを抑制することができる。
【図面の簡単な説明】
【００１７】
【図１】図１は、本発明のショーツの一実施形態である生理用ショーツ（非装着時）の正面図を示す。
【図２】図２は、図１に示す実施形態の背面図を示す。
【図３】図３は、図１に示す実施形態の平面図を示す。
【図４】図４は、図１に示す実施形態の側面図を示す。
【図５】図５は、図１に示す実施形態の展開図を示す。
【図６】図６は、本発明のショーツの変形例の正面図を示す。
【発明を実施するための形態】
【００１８】
＜一実施形態＞
図１〜図５を用いて、本発明の一実施形態である生理用ショーツを説明する。
【００１９】
図１に示す生理用ショーツ１（以下、「ショーツ」と略することもある。）は、外側部材２と、その内側に配置される内側部材３とを備える。
【００２０】
外側部材２は、ショーツ１の本体部分であり、ウエスト部４、前身頃５、後身頃６、および、股部７を備える。
【００２１】
ウエスト部４は、装着時に腰回りを締め付けてショーツ１の脱落を防止する。ウエスト部４は、外側部材２の上端に位置し、ショーツ１の上端を一周するように配置されている。ウエスト部４は、伸縮性を有しており、ウエスト開口８を形成する。
【００２２】
ウエスト部４は、例えば、ゴム紐などの伸縮性部材から構成されている。ウエスト部４の伸縮性は、他の部材（具体的には、前身頃５、股部７および後身頃６、ならびに、内側部材３）の伸縮性よりも高い。
【００２３】
前身頃５は、外側部材２の前側部分であり、人（女性）の下腹部を被覆する。前身頃５は、ウエスト部４の前側部分の下方に配置され、ウエスト部４の前側部分に固定されている。前身頃５において、その上端はウエスト部４の前側部分と連続し、その下端は股部７の前端と連続し、その幅方向両端は後身頃６の幅方向両端と連続する。前身頃５は、その上側部分が下側に向かう従がって幅方向に広くなり、その下側部分が鼠蹊部または前ももに沿うように下側に向かうに従って幅方向に狭くなるように形成されている。
【００２４】
後身頃６は、外側部材２の後側部分であり、人の臀部を被覆する。後身頃６は、ウエスト部４の後側部分の下方に配置され、ウエスト部４の後側部分に固定されている。後身頃６において、その上端はウエスト部４の後側部分と連続し、その下端は股部７の後端と連続し、その幅方向両端は前身頃５の幅方向両端と連続する。後身頃６は、その上側部分が下側に向かうに従がって幅方向に広くなり、その下側部分が臀部または後ももに沿うように下側に向かうに従って幅方向に狭くなるように形成されている。
【００２５】
股部７は、外側部材２の下側部分であり、人の股間を被覆する。股部７は、前身頃５および後身頃６の前後方向中央に配置され、前身頃５と後身頃６とを連結する。股部７において、その前端は前身頃５の下端と連続し、その後端は後身頃６の下端と連続する。股部７は、前後方向に延びる略長方形状を有しており、かつ、内ももに沿うように前後方向中央に向かうに従って幅が狭くなるように形成されている。
【００２６】
外側部材２では、前身頃５、後身頃６および股部７によって、鼠蹊部を締め付けないように、足ぐり９が形成されている。すなわち、前身頃５の下端縁と股部７の幅方向両端縁と後身頃６の下端縁とが連続して一周しており、一対の開口を構成する。
【００２７】
足ぐり９の大きさは、推奨する普通体重（例えば、ＢＭＩが１８．５以上２５未満）の女性が着用した際に、足ぐり９が、体に接触する部位（足の付け根の周囲）と実質的に同じ大きさまたはそれよりも大きくなるように形成されている。換言すると、ショーツ１は、締め付けがある従来ショーツよりも、足ぐり９が大きくなるように形成されている。具体的には、Ｍサイズ用（例えば推奨ヒップ周囲が８７ｃｍ以上９５ｃｍ以下）のショーツである場合、足ぐり９の周囲長さは、例えば、５０ｃｍ以上、好ましくは、５５ｃｍ以上であり、また、例えば、６５ｃｍ以下、好ましくは、６０ｃｍ以下である。
【００２８】
前身頃５、後身頃６および股部７を構成する生地は、例えば、ポリウレタン繊維、ポリエステル繊維、ナイロン繊維、レーヨン繊維、アクリル繊維などの合成繊維、綿、絹、麻などの天然繊維、および、これらの混合繊維などから形成されている。好ましくは、伸縮性を有する生地から形成されており、具体的には、例えば、綿とポリウレタン繊維との混合繊維から形成されている。
【００２９】
後身頃６および股部７は、一枚の生地から形成され、一方、前身頃５は、別個の生地から形成されている。外側部材２は、所望の生地から外形加工された後身頃６および股部７に、前身頃５およびウエスト部４をそれぞれ縫合（固定）することにより、作製される。後身頃６と股部７との境界には、縫合部が存在せず、前身頃５と股部７との境界、前身頃５と後身頃６との境界、および、ウエスト部４周囲には、それぞれ、縫合部１４が存在する。すなわち、前身頃５と股部７との境界には第１縫合部１４ａが、前身頃５と後身頃６との境界には第２縫合部１４ｂが、ウエスト部４の周囲には第３縫合部１４ｃが形成されている。  
【００３０】
内側部材３は、生理、おりものなどの排泄液に対処するための部材であり、外側部材２の内側において、外側部材２の内面に沿うように配置されている。内側部材３は、ウエスト部４の後側部分と前身頃５の下側部分とに連結されている。具体的には、内側部材３の前端は、前身頃５の下端と連続し、内側部材３の後端は、ウエスト部４の後側部分に連続する。
【００３１】
内側部材３は、後側密着部１０と、一対の前側密着部１１と、下側密着部１２と、防水布１３とを備える。
【００３２】
後側密着部１０は、内側部材３の後側部分であり、装着時に、臀部（特に、上臀部の全面、および、下臀部の幅方向中央部）に密着（フィット）する。後側密着部１０は、ウエスト部４の後側部分の下方および内側に配置され、ウエスト部４の後側部分に固定されている。後側密着部１０において、その上端はウエスト部４の後側部分と連続し、その下端は下側密着部１２の後端と連続し、その幅方向両端は前側密着部１１の幅方向両端と連続する。後側密着部１０は、後身頃６よりも小さくなるように形成されており、後側密着部１０の丈（上下方向長さ）は、後身頃６の丈よりも短い。
【００３３】
一対の前側密着部１１は、内側部材３の前側部分であり、装着時に、下腹部の幅方向両端部（特に、上前腸骨棘付近の部位）に密着する。一対の前側密着部１１は、ウエスト部４の前側部分両端部の下方および内側に配置され、ウエスト部４の前側部分に固定されている。前側密着部１１は、後側密着部１０の幅方向両端に連続する。すなわち、一対の前側密着部１１のうち、一方（左側）の前側密着部１１は後側密着部１０の一方端（左端）と連続し、他方（右側）の前側密着部１１は後側密着部１０の他方端（右端）と連続し、これらの前側密着部１１の上端はウエスト部４の前側部分と連続する。一対の前側密着部１１は、それぞれ、略三角形状を有する。
【００３４】
下側密着部１２は、内側部材３の下側部分であり、防水布１３および吸収性物品（例えば、生理用ナプキン、おりものシート）を介して、股間に密着する。下側密着部１２は、股部７の内側に配置され、第１縫合部１４ａにて、前身頃５に固定されている。下側密着部１２において、その後端は後側密着部１０の下端と連続し、その前端は前身頃５の下端と連続する。下側密着部１２は、その前側部分が前後方向に直線状に延びる略長方形状を有し、その後側部分が緩やかに幅方向に広くなるように形成されている。下側密着部１２は、股部７よりも小さくなるように形成されている。図３に示すように、下側密着部１２の幅は、股部７の幅よりも狭い。第１縫合部１４ａの位置では、下側密着部１２の幅Ｘ１は、例えば、前身頃５の幅Ｙ１の８０％以下、好ましくは、７０％以下であり、また、例えば、４０％以上、好ましくは、５０％以上である。また、ショーツ１の最下端（股部７の最幅狭部）の位置では、下側密着部１２の幅Ｘ２は、例えば、股部７の幅Ｙ２の９８％以下、好ましくは、９５％以下であり、また、例えば、８０％以上、好ましくは、９０％以上である。これにより、下側密着部１２に吸収性物品を確実に装着することができ、また、装着される吸収性物品を股部７で隠すことができる。
【００３５】
後側密着部１０、前側密着部１１および下側密着部１２は、伸縮性を有する生地から構成されており、このような生地の材料として、具体的には、前述の合成繊維、天然繊維およびこれらの混合繊維が挙げられる。好ましくは、後側密着部１０、前側密着部１１および下側密着部１２は、前身頃５、後身頃６および股部７と同一の伸縮性生地から構成されており、具体的には、例えば、綿とポリウレタン繊維との混合繊維から形成されている。
【００３６】
防水布１３は、経血などの排泄液が外側部材２や内側部材３に付着することを抑制する。防水布１３は、下側密着部１２の内面に配置されている。具体的には、防水布１３は、下側密着部１２の内面全面に、防水布１３が配置されているように、固定されている。防水布１３の平面形状は、下側密着部１２と略同一形状となるように形成されている。
【００３７】
防水布１３は、防水性を有する生地から構成されている。このような生地の材料としては、例えば、ポリエチレン繊維、ポリエステル繊維、アクリル繊維などの合成繊維が挙げられる。これにより、防水布１３に経血などが付着した際に際に、容易に経血などを除去することができる。
【００３８】
後側密着部１０、一対の前側密着部１１および下側密着部１２は、一枚の生地から形成されており、これらの境界には、縫合部が存在しない。また、防水布１３は、下側密着部１２の外周縁に沿うように、縫合されている。
【００３９】
ショーツ１は、外側部材２の内側に、内側部材３を縫合（固定）することにより、作製される。具体的には、下側密着部１２の前端を外側部材２における前身頃５と股部７との境界（第１縫合部１４ａ）に縫合し、後側密着部１０および前側密着部１１の上端をウエスト部４に縫合する。
【００４０】
これにより、臀部に相当する付近に縫合部１４が存在しないことから、タイトなズボンをショーツ１の上から装着した際に縫合部１４の凹凸が形成されず、ヒップラインを綺麗に見せることができる。また、前身頃５と股部７との境界に、外側部材２と内側部材３との縫合を重ね合わせたため、縫合部１４の箇所を少なくすることができる。
【００４１】
図５の展開図が示すように、内側部材３の幅方向中心における前後方向長さＬ１は、非装着時において、内側部材３が縫合（固定）されている箇所に対応する外側部材２の前後方向長さL２よりも短い。換言すると、後側密着部１０および下側密着部１２の合計前後方向長さL１は、後身頃６および股部７の合計前後方向長さよりも短い。例えば、Ｌ１は、Ｌ２の９８％以下、好ましくは、９６％以下であり、また、例えば、９０％以上、好ましくは、９３％以上である。また、Ｌ１とＬ２との差は、例えば、５ｃｍ以下、好ましくは、３ｃｍ以下であり、また、例えば、０．５ｃｍ以上、好ましくは、１ｃｍ以上である。これにより、内側部材３および外側部材２、特に下側密着部１２および股部７を確実に離間させることができる。なお、図５は、外側部材２および内側部材３の各縫合部１４を解いて、外側部材２および内側部材３の後側上端の位置が一致するように、これらの部材を重ね合わせた際の図を示す。
【００４２】
図４に示すように、最下端における下側密着部１２と股部７との距離距離Ｈは、例えば、０．５ｃｍ以上、好ましくは、１ｃｍ以上であり、また、例えば、３ｃｍ以下、好ましくは、２ｃｍ以下である。これにより、後側密着部１０は臀部と、前側密着部１１は下腹部幅方向両端部と、下側密着部１２は股間と確実に密着することができる。
【００４３】
そして、ショーツ１では、外側部材２において、鼠蹊部を締め付けないように足ぐり９が形成されている。そのため、鼠蹊部の圧迫を抑制でき、開放感などのはき心地が良好である。
【００４４】
また、内側部材３において、後側密着部１０および一対の前側密着部１１がウエスト部４に縫合（固定）されている。そのため、内側部材３は、広い面積で腰回りや上臀部に接触でき、かつ、ウエスト部４にその全周の半分以上の範囲で充分に固定されている。よって、装着後における後側密着部１０の横ずれや臀裂への入り込みを抑制することができる。加えて、下側密着部１２は、ウエスト部４ではなく、前身頃５と縫合している。そのため、装着後の運動時にショーツ１（特に、ウエスト部４や前身頃５）に加わる力が、広面積を有する前身頃５の伸縮によって分散や緩衝させることができ、その力が、下側密着部１２に直接伝わることを防止することができる。よって、下側密着部１２の動きやずれを抑制することができる。これらによって、装着時におけるショーツ１外への経血などの漏れを抑制することができる。
【００４５】
また、ショーツ１では、内側部材３の前後方向長さＬ１は、それが縫合されている箇所に対応する外側部材２の前後方向長さよりも短い。このため、非装着時において、縫合部１４を除いて、内側部材３が外側部材２と離間している。よって、装着時に、内側部材３が外側部材２に向かって十分に伸長できるため、下側密着部１２における股間への密着性（フィット感）が良好になる。また、内側部材３と外側部材２までの距離Ｈが十分にあるため、装着時に、股間が外側部材２に直接圧迫することを防止でき、外側部材２の大幅な外形変化を抑制することができる。その結果、非装着時における外形デザインを、装着時においても維持することができる。
【００４６】
また、ショーツ１では、下側密着部１２の幅は、股部７の幅よりも狭い。そのため、ウイング付きの吸収性物品を下側密着部１２に装着した際に、ウイングの幅方向の飛び出しを股部７で隠すことができる。また、さらに後側密着部１０の丈は、後身頃６の丈よりも短い。そのため、装着時において、内側部材３が後身頃６および股部７によって完全に隠すことができる。その結果、外部から視認される部材は、外側部材２だけとなり、生理に関係する部材（吸収性物品や内側部材）が隠れることとなる。さらには、外側部材２によって、ショーツ１の外形デザイン性の自由度を担保することができる。具体的には、従来の生理用ショーツは、経血の漏れを防ぐため、足ぐりやショーツ全体を締め付ける必要があり、全体的にぴったりとした（タイトな）外形となる。一方、本発明のショーツ１では、外側部材２によって隠されている内側部材３で経血などの漏れを防止できるため、外側部材２はそのような機能的制限がなく、自由な外形とすることができる。特に、外側部材２において、鼠蹊部を締め付けないように足ぐり９が形成されているため、ゆったりとした外形となっており、他人からは生理用ショーツを着用しているとは認識できないようにさせることができる。
【００４７】
また、ショーツ１では、下側密着部１２の内側には、防水布１３が配置されている。そのため、経血などの排泄液が吸収性物品から漏れ出た場合において防水布１３で受け止めることができる。よって、下側密着部１２や股部７などへの経血などの染み込みを抑制し、ショーツ１やアウターの汚れを軽減させることができる。
【００４８】
＜変形例＞
本発明は、図１に示す一実施形態に限定されない。例えば、図１に示す一実施形態では、ウエスト部１は、伸縮性部材のみから形成されているが、例えば、図６に示すように、ウエスト部４は、レースなどの装飾を有する丈長のウエスト部としてもよい。また、足ぐり９は、図１に示す一実施形態では、足の付け根に沿った略円形形状を有するが、例えば、図６に示すように、ドレープ形状を有していてもよい。また、各縫合部１４の位置は、図１に示す一実施形態の位置に限定されず、例えば、第２縫合部１４ｂの位置は、図６に示すように、幅方向両端かつ前後方向中央よりもやや前方に位置していてもよい。
【００４９】
また、足ぐり９は、鼠蹊部および臀溝に沿うように形成されているが、例えば、図示しないが、足ぐり９は、鼠蹊部や臀溝よりも下方であって、大腿部上部の周囲に沿うように形成されていてもよい。すなわち、ショーツ１は、ボクサータイプであって、前身頃５および後身頃６の丈が、下方に長くなるように形成されていてもよい。
【００５０】
また、内側部材３は、例えば、図示しないが、メッシュ素材から形成されていてもよい。メッシュ素材としては公知または市販のものが使用でき、具体的には、パワーネットが挙げられる。メッシュ素材の開口率は、例えば、１０％以上、好ましくは、２０％以上であり、また、例えば、９０％以下、好ましくは、８０％以下である。これにより、強度を保持したまま通気性を向上させることができるため、洗濯後の乾燥において、内側部材３およびその位置に対応する外側部材部分の乾燥時間を短縮させることができる。
【００５１】
図１に示す一実施形態は、内側部材３の内側に、防水布１３を備えているが、例えば、図示しないが、ショーツは、防水布１３を備えていなくてもよい。このようなショーツでは、好ましくは、内側部材３は、排泄液のうち特に尿に対応するための部材として用い、吸収性物品として尿漏れパッドを配置する。すなわち、このようなショーツは、尿漏れ用ショーツとして好適に用いる。
【符号の説明】
【００５２】
１  生理用ショーツ  ２  外側部材  ３  内側部材  ４  ウエスト部  ５  前身頃  ６  後身頃  ７  股部  ８  ウエスト開口  ９  足ぐり  １０  後側密着部  １１  前側密着部  １２  下側密着部  １３  防水布  １４  縫合部  １４ａ  第１縫合部  １４ｂ  第２縫合部  １４ｃ  第３縫合部
【要約】
【課題】はき心地が良く、排泄液の漏れを抑制することができるショーツを提供すること。
【解決手段】生理用ショーツ１は、ウエスト部４、前身頃５、後身頃６および股部７を有する外側部材２と、外側部材２の内側に配置される内側部材３とを備える。外側部材２において、鼠蹊部を締め付けないように足ぐり９が形成されている。内側部材３は、臀部に密着可能な後側密着部１０と、下腹部の幅方向両端部に密着可能な一対の前側密着部１１と、股間に密着可能な下側密着部１２とを備える。後側密着部１０および一対の前側密着部１１は、ウエスト部４に固定され、下側密着部１２は、前身頃５に固定されている。
【選択図】図１【図１】
0006683311.tif 000002
【図２】
0006683311.tif 000003
【図３】
0006683311.tif 000004
【図４】
0006683311.tif 000005
【図５】
0006683311.tif 000006
【図６】
0006683311.tif 000007